(57)【要約】  ヘッドセット接続の有無と、ヘッドセットマイクの有無に応じて自動的にゲインを調整することにより、集音性能を向上させることができるとともに、不用意にマイクで集音されてしまうことを防ぐことができる電子回路。この回路では、電圧検出部（１０５）は、電源電圧としきい値との比較結果、または電源電圧のデジタル値を出力する。制御部（１０６）は、電圧検出部（１０５）における比較結果、または電源電圧のデジタル値に基づいてヘッドセットマイク（１６１）の有無を検出する。ゲイン設定部（１０９）は、制御部（１０６）でヘッドセット接続ありかつヘッドセットマイク無しを検出した場合には、制御部（１０６）でヘッドセット接続なしを検出した場合に比べて大きな値のゲインを設定する。可変増幅部（１１０）は、ゲイン設定部（１０９）で設定したゲインで、本体マイク（１０７）からの音声データを増幅する。
2009016730.tif 000002
【特許請求の範囲】
【請求項１】
ヘッドセットの接続の有無と、接続した前記ヘッドセットのヘッドセットマイクの有無を検出する検出部と、
前記検出部で前記ヘッドセットの接続無しを検出した場合に第１ゲインを設定し、前記検出部で前記ヘッドセットの接続有りかつ前記ヘッドセットマイク無しを検出した場合に前記第１ゲインより大きな第２ゲインを設定するゲイン設定部と、
前記第１ゲインまたは前記第２ゲインで本体マイクから入力する信号を増幅する増幅部と、
を具備する電子回路。
【請求項２】
前記検出部で前記ヘッドセットの接続有りと前記ヘッドセットマイク無しを検出した場合、または前記ヘッドセットマイク無しを検出した場合には前記本体マイクを選択し、前記検出部で前記ヘッドセットマイク有りを検出した場合には前記ヘッドセットマイクを選択するマイク選択部を具備する請求項１記載の電子回路。
【請求項３】
前記検出部で前記ヘッドセットの接続有りかつ前記ヘッドセットマイク無しを検出した場合に、本体マイクが選択された旨を音声によりスピーカから外部に報知させる報知部を具備する請求項２記載の電子回路。
【請求項４】
前記報知部は、前記検出部で前記ヘッドセットの接続無しを検出した場合に、本体マイクが選択された旨を音声によりスピーカから外部に報知させない請求項３記載の電子回路。
【請求項５】
前記報知部は、前記検出部で前記ヘッドセットの接続有りかつ前記ヘッドセットマイク有りを検出した場合、ヘッドセットマイクが選択された旨を音声によりスピーカから外部に報知させる請求項３記載の電子回路
【請求項６】
前記増幅部で増幅した信号を前記ヘッドセットのヘッドセットスピーカに出力する出力部を具備する請求項１記載の電子回路。
【請求項７】
前記増幅部で増幅した信号を外部の機器へ送出する外部通信部を具備する請求項１記載の電子回路。
【請求項８】
前記検出部は、前記ヘッドセットマイクの有無の検出を周期的に行う請求項１記載の電子回路。
【請求項９】
前記検出部は、通信の開始を検出した際に前記ヘッドセットマイクの有無を検出する請求項１記載の電子回路。
【請求項１０】
前記ヘッドセットマイクの有無の検出を行う場合に前記ヘッドセットマイクの有無の検出を行わない場合に比べて高いインピーダンスを設定して前記ヘッドセットマイクに電源を供給する電源供給部を具備し、
前記検出部は、前記電源供給部により供給する電源の電圧降下量が所定値以上の場合に前記ヘッドセットマイク有りを検出する請求項１記載の電子回路。
【請求項１１】
請求項１記載の電子回路を具備する電子機器であって、
前記電子回路は、
ヘッドセットの接続の有無と、接続した前記ヘッドセットのヘッドセットマイクの有無を検出する検出部と、
前記検出部で前記ヘッドセットの接続無しを検出した場合に第１ゲインを設定し、前記検出部で前記ヘッドセットの接続有りかつ前記ヘッドセットマイク無しを検出した場合に前記第１ゲインより大きな第２ゲインを設定するゲイン設定部と、
前記第１ゲインまたは前記第２ゲインで本体マイクから入力する信号を増幅する増幅部と、を具備する電子機器。
【請求項１２】
ヘッドセットの接続の有無と、接続した前記ヘッドセットのヘッドセットマイクの有無を検出するステップと、
前記ヘッドセットの接続無しを検出した場合に第１ゲインを設定し、前記ヘッドセットの接続有りかつ前記ヘッドセットマイク無しを検出した場合に前記第１ゲインより大きな第２ゲインを設定するステップと、
を具備するゲイン制御方法。
【請求項１３】
請求項１２記載のゲイン制御方法を実行するゲイン制御回路。
【発明の詳細な説明】
【技術分野】
【０００１】
本発明は、電子回路、電子機器及びゲイン制御方法に関し、特にヘッドセットのヘッドセットマイクの有無を自動的に検出してゲインを調整する電子回路、電子機器及びゲイン制御方法に関する。
【背景技術】
【０００２】
従来、ヘッドセットのマイクと電子機器に内蔵された本体マイクとの切り替えを自動的に行うマイク切替装置が知られている（例えば、特許文献１）。【０００３】
特許文献１では、マイク切替装置は、ヘッドセットとイヤホンとで共用されるジャックに挿入されたプラグが、両者のうちどちらのものかを電気的に検出する。そして、マイク切替装置は、その検出信号によって、無線機本体のマイクラインと、ジャックのマイクラインおよび内蔵マイクへのマイクラインとの接続を切り替える。また、マイク切替装置は、ジャックにプラグが未挿入状態では、無線機本体のマイクラインをジャックのマイクラインに接続する機能を有する。【０００４】
また、ヘッドセットは、ヘッドセットマイクが備わっているタイプと、ヘッドセットマイクが備わっていないタイプの双方のタイプが存在する。
【特許文献１】特許第３１６９７３２号公報
【発明の開示】
【発明が解決しようとする課題】
【０００５】
しかしながら、従来の装置においては、ヘッドセットにヘッドセットマイクが備わっていない場合に、口元から離れたところに位置する機器の本体マイクで集音した音声は不明瞭になるという問題がある。例えば、特許文献１において、車の運転中等により機器の表示画面を視認することができない場合には、ユーザは、表示画面に表示されるヘッドセットマイクの有無の通知を認識できない可能性が高い。この場合、ヘッドセットマイクが備わっていないヘッドセットが機器に接続されているにも関わらず、ヘッドセットマイクが備わっているものとユーザが誤認識した際に、ユーザは、ヘッドセットマイクであれば集音可能な程度の小声で通話を行う可能性がある。この結果、本体マイクで集音した音声が不明瞭になるという問題がある。この問題を解決するために、マイクの集音性能を高くすることが考えられる。しかし、この場合、ヘッドセットマイクを備えたヘッドセットが機器に接続されているにも関わらず、ヘッドセットマイクを備えていないものとユーザが誤認識した際には、聞かれたくない内容の会話を小声で話した場合に、ヘッドセットマイクで集音してしまうという問題がある。【０００６】
本発明の目的は、ヘッドセットマイクの有無に応じて自動的にゲインを調整することにより、集音性能を向上させることができるとともに、不用意にマイクで集音されてしまうことを防ぐことができる電子回路、電子機器及びゲイン制御方法を提供することである。
【課題を解決するための手段】
【０００７】
本発明の電子回路は、ヘッドセットの接続の有無と、接続した前記ヘッドセットのヘッドセットマイクの有無を検出する検出部と、前記検出部で前記ヘッドセットの接続無しを検出した場合に第１ゲインを設定し、前記検出部で前記ヘッドセットの接続有りかつ前記ヘッドセットマイク無しを検出した場合に前記第１ゲインより大きな第２ゲインを設定するゲイン設定部と、前記第１ゲインまたは前記第２ゲインで本体マイクから入力する信号を増幅する増幅部と、を具備する構成を採る。【０００８】
本発明のゲイン制御方法は、ヘッドセットの接続の有無と、接続した前記ヘッドセットのヘッドセットマイクの有無を検出するステップと、前記ヘッドセットの接続無しを検出した場合に第１ゲインを設定し、前記ヘッドセットの接続有りかつ前記ヘッドセットマイク無しを検出した場合に前記第１ゲインより大きな第２ゲインを設定するステップと、を具備するようにした。
【発明の効果】
【０００９】
本発明によれば、ヘッドセットマイクの有無に応じて自動的にゲインを調整することにより、集音性能を向上させることができるとともに、不用意にマイクで集音されてしまうことを防ぐことができる。
【図面の簡単な説明】
【００１０】
【図１】本発明の実施の形態に係る電子機器の構成を示すブロック図
【図２】本発明の実施の形態に係る電圧検出部の構成を示す図
【図３】本発明の実施の形態に係る電圧検出部の構成を示す図
【図４】本発明の実施の形態に係る電圧検出部の構成を示す図
【図５】本発明の実施の形態に係る電子機器の動作を示すフロー図
【図６】本発明の実施の形態に係る電子機器の動作を示すフロー図
【図７】本発明の実施の形態に係る電子機器の動作を示すフロー図
【図８】本発明の実施の形態に係る電子機器の動作を示すフロー図
【図９】本発明の実施の形態に係る電子機器の動作を示すフロー図
【図１０】本発明の実施の形態に係る電子機器の動作を示すフロー図
【図１１】本発明の実施の形態に係るヘッドセットマイクまたは本体マイクを選択したことを音声により報知する方法を示すフロー図
【図１２】本発明の実施の形態に係るゲイン設定部で設定するゲインを説明する図
【発明を実施するための最良の形態】
【００１１】
以下、本発明の実施の形態について、図面を参照して詳細に説明する。【００１２】
（実施の形態）
図１は、本発明の実施の形態に係る電子機器１００の構成を示すブロック図である。図１において、ヘッドセット接続部１５０は、ヘッドセットマイク接続部１０３、ヘッドセット接続部１０４及びヘッドセットスピーカ接続部１１４を含む。【００１３】
電源供給部１０１は、ヘッドセット１６０がヘッドセット接続部１５０に接続した際に、インピーダンス設定部１０２を介して、ヘッドセット１６０及びヘッドセットマイク１６１に電源を供給する。【００１４】
インピーダンス設定部１０２は、抵抗１０２ａ、抵抗１０２ｂ及びスイッチ１０２ｃを有する。また、インピーダンス設定部１０２は、抵抗１０２ｂとスイッチ１０２ｃとを並列に配置する回路構成を有している。また、インピーダンス設定部１０２は、制御部１０６の制御に従ってスイッチ１０２ｃを開閉することにより、インピーダンスを可変に設定可能である。具体的には、インピーダンス設定部１０２は、ヘッドセットマイク１６１を検出するタイミングでスイッチ１０２ｃを開放し、ヘッドセットマイク１６１を検出しないタイミングでスイッチ１０２ｃを閉じる。また、抵抗１０２ａは例えば２ｋオームに設定し、抵抗１０２ｂは例えば１００ｋオームに設定する。【００１５】
ヘッドセットマイク接続部１０３は、ヘッドセットマイク１６１が接続しない場合には開放状態になっている。また、ヘッドセットマイク接続部１０３は、ヘッドセットマイク１６１と電気的及び機械的に接続する。また、ヘッドセットマイク接続部１０３は、ヘッドセットマイク１６１が接続した際に、インピーダンス設定部１０２を介して電源供給部１０１から供給される電源をヘッドセットマイク１６１へ供給する。【００１６】
ヘッドセット接続部１０４は、ヘッドセット１６０の接続部１６３と電気的及び機械的に接続する。【００１７】
電圧検出部１０５は、インピーダンス設定部１０２を介して電源供給部１０１から供給される電源電圧としきい値との比較結果、またはインピーダンス設定部１０２を介して電源供給部１０１から供給される電源電圧のデジタル値を制御部１０６へ出力する。なお、電圧検出部１０５の構成の詳細については、後述する。【００１８】
制御部１０６は、ヘッドセットマイク１６１を検出するタイミングで、インピーダンス設定部１０２に対して、スイッチ１０２ｃを開放するように制御する。例えば、制御部１０６は、所定の周期で、または図示しない操作部により通信開始操作を検出した際に、ヘッドセットマイク１６１の検出処理を開始する。また、制御部１０６は、ヘッドセット接続部１０４と接続部１６３との接続による電圧降下量が所定量以上になった際に、ヘッドセットの接続有りを検出する。また、制御部１０６は、電圧検出部１０５から入力した比較結果または電源電圧のデジタル値に基づいて、ヘッドセットマイク１６１の有無を検出する。そして、制御部１０６は、ヘッドセットマイク１６１の有無の検出結果をゲイン設定部１０９へ出力するとともに、ヘッドセットマイク１６１の有無の情報をデータ記憶部１１８に記憶させる。また、制御部１０６は、ヘッドセットマイク１６１の有無を表示部１１７に表示させるとともに、ヘッドセットマイク１６１の有無を本体スピーカ１１６から音声により出力させるためのデジタル音声データをＤ／Ａ部１１２へ出力する。【００１９】
また、制御部１０６は、ヘッドセットマイク有りを検出した際に、データ記憶部１１８に記憶しているデジタル音声データを読み出して、読み出したデジタル音声データをＤ／Ａ部１１２へ出力する。また、制御部１０６は、Ａ／Ｄ部１１１から入力したデジタル音声データを変調して送信信号を生成し、生成した送信信号を無線制御部１２１へ出力する。また、制御部１０６は、無線制御部１２１から入力した受信信号を復調してデジタル音声データを取得し、取得したデジタル音声データをＤ／Ａ部１１２へ出力する。また、制御部１０６は、Ａ／Ｄ部１１１から入力したデジタル音声データを、制御部１０６で動作する音声認識アプリケーションに使用する。また、制御部１０６は、ヘッドセット１６０の接続を検出しない場合、またはヘッドセットマイク無しを検出した場合には本体マイク１０７を選択し、ヘッドセットマイク有りを検出した場合にはヘッドセットマイク１６１を選択するようにマイク選択部１０８を制御する。【００２０】
本体マイク１０７は、音声等の外部の音を集音する。そして、本体マイク１０７は、集音した音の音声データを、マイク選択部１０８を介して可変増幅器１１０へ出力する。【００２１】
マイク選択部１０８は、制御部１０６の制御に従って、本体マイク１０７から入力した音声データの可変増幅器１１０への出力と、ヘッドセットマイク１６１から入力した音声データの可変増幅器１１０への出力とを切り替える。【００２２】
ゲイン設定部１０９は、制御部１０６から入力した、ヘッドセットマイク１６１の有無の検出結果に応じて、可変増幅器１１０のゲインを制御する。具体的には、ゲイン設定部１０９は、制御部１０６でヘッドセットの接続有りかつヘッドセットマイク無しを検出した場合には、制御部１０６でヘッドセットの接続無しを検出した場合に比べて、大きい値のゲインを設定するように可変増幅器１１０のゲインを制御する。【００２３】
可変増幅器１１０は、ゲイン設定部１０９の制御に従って、本体マイク１０７からマイク選択部１０８を介して入力した音声データを、所定のゲインで増幅してＡ／Ｄ部１１１へ出力する。また、可変増幅器１１０は、ゲイン設定部１０９の制御に従って、ヘッドセットマイク１６１からマイク選択部１０８を介して入力した音声データを、ヘッドセットマイク１６１の特性に合ったゲインで増幅してＡ／Ｄ部１１１へ出力する。【００２４】
Ａ／Ｄ部１１１は、可変増幅器１１０から入力した音声データをアナログ音声データからデジタル音声データに変換して制御部１０６へ出力する。【００２５】
Ｄ／Ａ部１１２は、制御部１０６から入力したデジタル音声データをアナログ音声データに変換して増幅器１１３または増幅器１１５へ出力する。【００２６】
増幅器１１３は、Ｄ／Ａ部１１２から入力したアナログ音声データを増幅してヘッドセットスピーカ接続部１１４へ出力する。【００２７】
ヘッドセットスピーカ接続部１１４は、増幅器１１３から入力したアナログ音声データをヘッドセットスピーカ１６２へ出力する。【００２８】
増幅器１１５は、Ｄ／Ａ部１１２から入力したアナログ音声データを増幅して本体スピーカ１１６へ出力する。【００２９】
本体スピーカ１１６は、増幅器１１５から入力したアナログ音声データの音を外部へ出力する。【００３０】
表示部１１７は、制御部１０６の指示により、ヘッドセットマイク１６１が選択された旨、または本体マイク１０７が選択された旨を表示する。【００３１】
データ記憶部１１８は、制御部１０６から入力したヘッドセットマイク１６１の有無の情報を記憶する。また、データ記憶部１１８は、制御部１０６から入力したデジタル音声データを記憶する。【００３２】
無線制御部１１９は、制御部１０６から入力した送信信号をベースバンド周波数から無線周波数にアップコンバートしてアンテナ１２０へ出力する。また、無線制御部１１９は、アンテナ１２０から入力した受信信号を無線周波数からベースバンド周波数にダウンコンバートして制御部１０６へ出力する。【００３３】
アンテナ１２０は、無線制御部１１９から入力した送信信号を外部の機器１７０へ送出する。また、アンテナ１２０は、外部の機器１７０から送信された信号を受信して無線制御部１１９へ出力する。なお、図１において、外部の機器１７０と無線回線を用いて通信するが、本発明はこれに限らず、有線で通信しても良い。また、外部の機器１７０は、携帯電話等の通信端末装置またはパーソナルコンピュータ等の任意の機器にすることができる。【００３４】
図１では、本発明を電子機器に適用した場合について説明したが、本発明はこれに限らず、ＬＳＩ等の電子回路に適用することができる。即ち、本発明は、電源供給回路１０１、インピーダンス設定回路１０２、電圧検出回路１０５、制御回路１０６、マイク選択回路１０８、ゲイン設定回路１０９、可変増幅回路１１０、Ａ／Ｄ回路１１１、Ｄ／Ａ回路１１２、増幅回路１１３、増幅回路１１５、データ記憶回路１１８及び無線制御回路１１９からなる電子回路１８０として構成することができる。また、上記の各回路は、１つのＬＳＩとして単一の基板に実装することができる。また、上記の各回路は、一部の回路のみをＬＳＩにすることができる。また、上記の各回路は、複数の基板に各々実装しても良い。また、上記の電子回路は、電子機器に組み込むことができる。【００３５】
次に、電圧検出部１０５の詳細な構成について、図２を用いて説明する。図２は、電圧検出部１０５の構成を示す図である。【００３６】
電圧検出部１０５は、入力電圧Ｖｍｉｃとしきい値ｖａ（ここで、ｖａ≒１／２ＶＤＤｂｕｆ）とのバッファ２０１における比較結果を制御部１０６へ出力する。具体的には、電圧検出部１０５は、Ｖｍｉｃ＞ｖａであればハイレベルの信号を制御部１０６へ出力する。一方、電圧検出部１０５は、Ｖｍｉｃ＜ｖａであればローレベルの信号を制御部１０６へ出力する。これにより、制御部１０６は、ハイレベルの信号が入力した場合には、ヘッドセットマイク無しを検出し、ローレベルの信号が入力した場合には、ヘッドセットマイク有りを検出する。【００３７】
図３は、電圧検出部１０５の他の構成例を示す図である。【００３８】
図３では、電圧検出部１０５は、入力電圧Ｖｍｉｃと任意のしきい値ｖａとの電圧検出コンパレータ３０１における比較結果を制御部１０６へ出力する。具体的には、電圧検出部１０５は、Ｖｍｉｃ＞ｖａであればハイレベルの信号を制御部１０６へ出力する。一方、電圧検出部１０５は、Ｖｍｉｃ＜ｖａであればローレベルの信号を制御部１０６へ出力する。これにより、制御部１０６は、ハイレベルの信号が入力した場合には、ヘッドセットマイク無しを検出し、ローレベルの信号が入力した場合には、ヘッドセットマイク有りを検出する。【００３９】
図４は、電圧検出部１０５のさらに他の構成例を示す図である。【００４０】
図４では、電圧検出部１０５は、入力電圧ＶｍｉｃのＡ／Ｄ変換器４０１におけるアナログ／デジタル変換結果としての多値信号を制御部１０６へ出力する。これにより、制御部１０６は、電圧検出部１０５から入力したデジタル値であるＶｍｉｃとあらかじめ設定したデジタル値であるしきい値ｖａとの比較結果に応じて、ヘッドセットマイク１６１の有無を検出する。具体的には、制御部１０６は、Ｖｍｉｃ＞ｖａであればヘッドセットマイク無しを検出し、Ｖｍｉｃ＜ｖａであればヘッドセットマイク有りを検出する。【００４１】
なお、電圧検出部１０５の構成は図２〜図４の場合に限らず、図２〜図４以外の任意の構成を採ることができる。【００４２】
次に、電子機器１００の動作について、図５〜図１０を用いて説明する。図５〜図１０は、電子機器１００の動作を示すフロー図である。【００４３】
最初に、アプリケーションを起動した後にヘッドセットマイク１６１の有無を検出する場合の電子機器１００の動作について、図５及び図６を用いて説明する。【００４４】
図５より、電子機器１００は、アプリケーションを起動する（ステップＳＴ５０１）。この際に、スイッチ選択部１０８は、本体マイク１０７を選択しており、可変増幅器１１０は、所定のゲインｇ１を設定している。ここで、アプリケーションの起動とは、例えば通信を開始することである。【００４５】
次に、ヘッドセット接続部１５０にヘッドセット１６０が接続されることにより、制御部１０６は、ヘッドセット接続部１０４を介して、ヘッドセット１６０の接続を電気的に検出する（ステップＳＴ５０２）。【００４６】
次に、電圧検出部１０５は、接続したヘッドセット１６０のヘッドセットマイク１６１（図５では「ＨＰＭＩＣ」と記載）の有無の検出動作を開始する（ＨＰＭＩＣ接続検出動作開始）（ステップＳＴ５０３）。なお、ステップＳＴ５０３の動作の詳細については後述する。【００４７】
次に、制御部１０６は、電圧検出部１０５から入力する信号レベル、または電圧検出部１０５から入力する電源電圧のデジタル値に基づいて、ヘッドセットマイク１６１の有無を検出する（ステップＳＴ５０４）。【００４８】
ヘッドセットマイク有りを検出した場合に、電子機器１００は、ヘッドセットマイク１６１が選択されたことを報知する（ステップＳＴ５０５）。具体的には、表示部１１７は、「ヘッドセットマイクが選択されました」との文字情報を表示する。また、本体スピーカ１１６又はヘッドセットスピーカ１６２は、「ヘッドセットマイクが選択されました」との音声情報を音声により出力する。【００４９】
次に、マイク選択部１０８は、ヘッドセットマイク１６１を選択する（ステップＳＴ５０６）。【００５０】
次に、可変増幅器１１０は、ヘッドセットマイク１６１の特性に合ったゲインｇ３でアナログ音声データを増幅する（ステップＳＴ５０７）。【００５１】
次に、電子機器１００は、送話動作を開始する（ステップＳＴ５０８）。【００５２】
一方、ステップＳＴ５０４において、ヘッドセットマイク無しを検出した場合に、電子機器１００は、本体マイク１０７が選択されたことを報知する（ステップＳＴ５０９）。具体的には、表示部１１７は、「本体マイクが選択されました」との文字情報を表示する。また、本体スピーカ１１６は、「本体マイクが選択されました」との音声情報を音声により出力する。【００５３】
次に、マイク選択部１０８は、本体マイク１０７を選択したままの状態を維持する（ステップＳＴ５１０）。【００５４】
次に、可変増幅器１１０は、ゲインｇ１よりも大きい値のゲインｇ２（ｇ１＜ｇ２）でアナログ音声データを増幅する（ステップＳＴ５１１）。【００５５】
次に、電子機器１００は、送話動作を開始する（ステップＳＴ５０８）。【００５６】
次に、ステップＳＴ５０３のＨＰＭＩＣ接続検出動作について、図６を用いて説明する。図６は、ＨＰＭＩＣ接続検出動作を示すフロー図である。【００５７】
電子機器１００は、ヘッドセットマイク１６１（図６では「ＨＰＭＩＣ」と記載）の検出動作を開始し（ステップＳＴ６０１）、インピーダンス設定部１０２は、スイッチ１０２ｃをＯＦＦにする（ステップＳＴ６０２）。【００５８】
次に、電圧検出部１０５は、電源電圧としきい値との比較結果、または電源電圧のデジタル値を制御部１０６へ出力する（ステップＳＴ６０３）。【００５９】
次に、制御部１０６は、比較結果または電源電圧のデジタル値に基づいて、ヘッドセットマイク１６１の有無を検出する（ＨＰＭＩＣ接続判定）（ステップＳＴ６０４）。【００６０】
次に、データ記憶部１１８は、ヘッドセットマイク１６１の有無の情報を記憶する（ステップＳＴ６０５）。【００６１】
次に、インピーダンス設定部１０２は、スイッチ１０２ｃをＯＮにする（ステップＳＴ６０６）。【００６２】
そして、電子機器１００は、ヘッドセットマイク１６１の検出動作を終了し（ステップＳＴ６０７）、続いて、ステップＳＴ５０４以降の処理を行う。【００６３】
次に、電子機器１００にヘッドセット１６０が接続された後にヘッドセットマイク１６１の有無を検出する場合の電子機器１００の動作について、図７を用いて説明する。なお、図７において、図５と同一動作の部分については同一符号を付して、その説明を省略する。【００６４】
図７より、ヘッドセット接続部１５０にヘッドセット１６０が接続されることにより、制御部１０６は、ヘッドセット接続部１０４を介して、ヘッドセット１６０の接続を検出する（ステップＳＴ７０１）。【００６５】
次に、電圧検出部１０５は、接続したヘッドセット１６０のヘッドセットマイク１６１（図７では「ＨＰＭＩＣ」と記載）の有無の検出動作を開始する（ＨＰＭＩＣ接続検出動作開始）（ステップＳＴ７０２）。なお、ステップＳＴ７０２の動作は図６と同一であるので、その説明を省略する。【００６６】
次に、制御部１０６におけるアプリケーションの起動によりアプリケーションからヘッドセットマイク１６０の接続を要求された際に（ステップＳＴ７０３）、制御部１０６は、データ記憶部１１８からヘッドセットマイク１６１の有無の情報を読み出す（ステップＳＴ７０４）。【００６７】
次に、制御部１０６は、読み出したヘッドセットマイク１６１の有無の情報より、ヘッドセットマイク１６１の有無を検出する（ステップＳＴ７０５）。【００６８】
ヘッドセットマイク有りを検出した場合に、電子機器１００は、ヘッドセットマイク１６１が選択されたことを報知する（ステップＳＴ５０５）。具体的には、表示部１１７は、「ヘッドセットマイクが選択されました」との文字情報を表示する。また、本体スピーカ１１６又はヘッドセットスピーカ１６２は、「ヘッドセットマイクが選択されました」との音声情報を音声により出力する。【００６９】
一方、ヘッドセットマイク無しを検出した場合に、電子機器１００は、本体マイク１０７が選択されたことを報知する（ステップＳＴ５０９）。具体的には、表示部１１７は、「本体マイクが選択されました」との文字情報を表示する。また、本体スピーカ１１６又はヘッドセットスピーカ１６２は、「本体マイクが選択されました」との音声情報を音声により出力する。【００７０】
次に、電子機器１００にヘッドセット１６０が接続された後にヘッドセットマイク１６１の有無を検出する場合の電子機器１００の他の動作について、図８を用いて説明する。なお、図８において、図５と同一動作の部分については同一符号を付して、その説明を省略する。【００７１】
図８より、ヘッドセット接続部１５０にヘッドセット１６０が接続されることにより、制御部１０６は、ヘッドセット接続部１０４を介して、ヘッドセット１６０の接続を検出する（ステップＳＴ８０１）。【００７２】
次に、電圧検出部１０５は、接続したヘッドセット１６０のヘッドセットマイク１６１（図８では「ＨＰＭＩＣ」と記載）の有無の検出動作を開始する（ＨＰＭＩＣ接続検出動作開始）（ステップＳＴ８０２）。なお、ステップＳＴ８０２の動作は図６と同一であるので、その説明を省略する。【００７３】
次に、制御部１０６におけるアプリケーションの起動によりアプリケーションからヘッドセットマイク１６０の接続を要求された際に（ステップＳＴ８０３）、電圧検出部１０５は、接続したヘッドセット１６０のヘッドセットマイク１６１の有無の検出動作を開始する（ＨＰＭＩＣ接続検出動作開始）（ステップＳＴ８０４）。なお、ステップＳＴ８０４の動作は図６と同一であるので、その説明を省略する。【００７４】
次に、制御部１０６は、電圧検出部１０５から入力する信号レベル、または電圧検出部１０５から入力する電源電圧のデジタル値に基づいて、ヘッドセットマイク１６１の有無を検出する（ステップＳＴ８０５）。【００７５】
ヘッドセットマイク有りを検出した場合に、電子機器１００は、ヘッドセットマイク１６１が選択されたことを報知する（ステップＳＴ５０５）。具体的には、表示部１１７は、「ヘッドセットマイクが選択されました」との文字情報を表示する。また、本体スピーカ１１６又はヘッドセットスピーカ１６２は、「ヘッドセットマイクが選択されました」との音声情報を音声により出力する。【００７６】
一方、ヘッドセットマイク無しを検出した場合に、電子機器１００は、本体マイク１０７が選択されたことを報知する（ステップＳＴ５０９）。具体的には、表示部１１７は、「本体マイクが選択されました」との文字情報を表示する。また、本体スピーカ１１６又はヘッドセットスピーカ１６２は、「本体マイクが選択されました」との音声情報を音声により出力する。【００７７】
次に、電子機器１００にヘッドセット１６０が接続された後に周期的にヘッドセットマイク１６１の有無の検出を行う場合の電子機器１００の動作について、図９を用いて説明する。【００７８】
図９より、ヘッドセット接続部１５０にヘッドセット１６０が接続されることにより、制御部１０６は、ヘッドセット接続部１０４を介して、ヘッドセット１６０の接続を検出する（ステップＳＴ９０１）。【００７９】
次に、電圧検出部１０５は、接続したヘッドセット１６０のヘッドセットマイク１６１（図９では「ＨＰＭＩＣ」と記載）の有無の検出動作を開始する（ＨＰＭＩＣ接続検出動作開始）（ステップＳＴ９０２）。なお、ステップＳＴ９０２の動作は図６と同一であるので、その説明を省略する。【００８０】
次に、データ記憶部１１８は、ヘッドセットマイク１６１の有無の情報を記憶する（ステップＳＴ９０３）。【００８１】
次に、制御部１０６は、ヘッドセットマイク１６１を検出するための所定の周期であるＴ時間が経過したか否か判断する（ステップＳＴ９０４）。【００８２】
Ｔ時間経過した場合には、ステップＳＴ９０１〜ステップＳＴ９０３の処理を繰り返す。【００８３】
一方、Ｔ時間経過していない場合には、ヘッドセットマイク１６１の検出の処理を終了するか否か判断する（ステップＳＴ９０５）。【００８４】
終了しない場合には、ステップＳＴ９０４の処理を繰り返す。【００８５】
次に、電子機器１００にヘッドセット１６０が接続された後にヘッドセットマイク１６１の有無を検出する場合の電子機器１００の動作について、図１０を用いて説明する。【００８６】
図１０より、電子機器１００は、ヘッドセットマイク１６１（図１０では「ＨＰＭＩＣ」と記載）を用いて送話動作を行う（ステップＳＴ１００１）。この際に、スイッチ選択部１０８は、ヘッドセットマイク１６１を選択しており、可変増幅器１１０は、ゲインｇ３を設定している。【００８７】
次に、制御部１０６は、ヘッドセットマイク１６１の送話が停止しているか否かを判定する（ステップＳＴ１００２）。ここで、ヘッドセットマイク１６１の送話が停止している状態とは、制御部１０６が音声データの取り込みを行っていない状態のことである。【００８８】
送話中の場合には、制御部１０６は、ステップＳＴ１００２の処理を繰り返す。一方、送話が停止している場合には、電圧検出部１０５は、接続したヘッドセット１６０のヘッドセットマイク１６１の有無の検出動作を開始する（ＨＰＭＩＣ接続検出動作開始）（ステップＳＴ１００３）。なお、ステップＳＴ１００３の動作は図６と同一であるので、その説明を省略する。【００８９】
次に、制御部１０６は、電圧検出部１０５から入力する信号レベル、または電圧検出部１０５から入力する電源電圧のデジタル値に基づいて、ヘッドセットマイク１６１の有無を検出する（ステップＳＴ１００４）。【００９０】
ヘッドセットマイク有りを検出した場合には、電子機器１００は、ヘッドセットマイク１６１による送話を再開する（ステップＳＴ１００５）。【００９１】
次に、電子機器１００は、送話を終了するか否かを判断する（ステップＳＴ１００６）。送話を終了しない場合には、ステップＳＴ１００２〜ステップＳＴ１００５の処理を繰り返す。【００９２】
一方、ステップＳＴ１００４において、ヘッドセットマイク無しを検出した場合には、電子機器１００は、本体マイク１０７が選択されたことを報知する（ステップＳＴ１００７）。具体的には、表示部１１７は、「本体マイクが選択されました」との文字情報を表示する。また、本体スピーカ１１６又はヘッドセットスピーカ１６２は、「本体マイクが選択されました」との音声情報を音声により出力する。【００９３】
次に、マイク選択部１０８は、本体マイク１０７を選択する（ステップＳＴ１００８）。【００９４】
次に、可変増幅器１１０は、ゲインｇ２（ｇ２＞ｇ１）でアナログ音声データを増幅する（ステップＳＴ１００９）。【００９５】
次に、電子機器１００は、本体マイク１０７を用いて送話を開始する（ステップＳＴ１０１０）。【００９６】
次に、電子機器１００は、送話を終了するか否かを判断する（ステップＳＴ１０１１）。送話を終了しない場合には、ステップＳＴ１０１１の処理を繰り返す。【００９７】
次に、ヘッドセットマイク１６１または本体マイク１０７を選択したことを音声により報知する方法について、図１１を用いて説明する。図１１は、ヘッドセットマイク１６１または本体マイク１０７を選択したことを音声により報知する方法を示すフロー図である。【００９８】
最初に、本体スピーカ１１６又はヘッドセットスピーカ１６２は、音声出力を開始する（ステップＳＴ１１０１）。【００９９】
次に、本体スピーカ１１６又はヘッドセットスピーカ１６２は、ヘッドセットマイク１６１または本体マイク１０７を選択したことを音声によりＴ秒間隔で繰り返し報知する（ステップＳＴ１１０２）。【０１００】
次に、表示部１１７は、ヘッドセットマイク１６１または本体マイク１０７を選択したことの確認キーの入力をユーザに促すメッセージを表示する（ステップＳＴ１１０３）。【０１０１】
次に、制御部１０６は、確認キーの入力が有ったか否かを判定する（ステップＳＴ１１０４）。【０１０２】
確認キーの入力が有った場合には、本体スピーカ１１６又はヘッドセットスピーカ１６２は、ヘッドセットマイク１６１または本体マイク１０７を選択したことの音声による報知を停止する（ステップＳＴ１１０５）。【０１０３】
一方、確認キーの入力が無い場合には、制御部１０６は、ステップＳＴ１１０４の処理を繰り返す。【０１０４】
また、制御部１０６は、ステップＳＴ１１０２〜ステップＳＴ１１０５の処理中に、電子機器１００とヘッドセット１６０との接続が解除されたことを検出した場合には、ステップＳＴ１１０２における音声による報知を停止する。【０１０５】
図１２は、ゲイン設定部１０９で設定するゲインを説明する図である。【０１０６】
図１２より、ゲイン設定部１０９は、制御部１０６でヘッドセットの接続有りかつヘッドセットマイク有りを検出した際に、所定のゲインｇ３を設定する。これにより、可変増幅器１１０は、ヘッドセットマイク１６１の信号をゲインｇ３で増幅する。なお、この際、本体マイク１０７の信号は可変増幅器１１０に入力しないので、ゲイン設定部１０９は、本体マイク１０７の信号を増幅するためのゲインを設定することはない。【０１０７】
また、ゲイン設定部１０９は、制御部１０６でヘッドセットの接続有りかつヘッドセットマイク無しを検出した際に、ゲインｇ２を設定する。これにより、可変増幅器１１０は、本体マイク１０７の信号をゲインｇ２で増幅する。なお、この際、ゲイン設定部１０９は、ヘッドセットマイク１６１の信号を増幅するためのゲインを設定することはない。【０１０８】
また、ゲイン設定部１０９は、制御部１０６でヘッドセットの接続無しを検出した際に、ゲインｇ１を設定する。これにより、可変増幅器１１０は、本体マイク１０７の信号をゲインｇ１で増幅する。なお、この際、ゲイン設定部１０９は、ヘッドセットマイク１６１の信号を増幅するためのゲインを設定することはない。【０１０９】
なお、ｇ１とｇ２との間には、ｇ１＜ｇ２の条件が成り立つが、ｇ１とｇ３、及びｇ１とｇ３の間には成り立つ条件は特になく、任意の条件で良い。ｇ３はヘッドセットマイク用のゲインであって、ヘッドセットマイクの特性に合わせると良い。【０１１０】
このように、本実施の形態によれば、ヘッドセットマイクの有無に応じて自動的にゲインを調整することにより、集音性能を向上させることができるとともに、不用意にマイクで集音されてしまうことを防ぐことができる。また、本実施の形態によれば、本体マイクを選択したこと、またはヘッドセットマイクを選択したことを、音声と表示により報知するので、ユーザが表示部を視認できない場合、または音声を聞き取れない場合でも、ユーザは選択されたマイクの種別を確実に認識することができる。また、本実施の形態によれば、ヘッドセットマイクを検出する場合に、ヘッドセットマイクを検出しない場合に比べて、インピーダンスを高くして電源供給を行うことにより、ヘッドセットマイクの接続による電源電圧の電圧降下量を大きくすることができるので、ヘッドセットマイクを確実に検出することができる。【０１１１】
因みに、通話機能を持つ携帯通信端末や携帯電話等の電子回路で構成される電子機器において、ユーザはヘッドセットマイクを備えるヘッドセットを利用する場合、ヘッドセットマイクが口に近い位置にあるので、電子機器の本体マイクの位置を気にせず、結果として本体マイクを口から離すのが通常である。しかし、ユーザがヘッドセットマイクを備えないヘッドセットを、ヘッドセットマイクを備えるヘッドセットと間違って電子機器に装着し、本体マイクがユーザの声を集音する場合、本体マイクはユーザの口から離れているので、集音したユーザの音声は小さくなってしまう。【０１１２】
本実施の形態は、この様な課題を解決することを目的とし、ヘッドセットマイクを備えないヘッドセットを装着した場合は、本体マイクのゲイン（ｇ２）をヘッドセットを装着しない場合の通常のゲイン（ｇ１）よりも大きくするようにし、本体マイクから離れたユーザの口から発せられる音声を十分に増幅するようにする。その為、携帯電話等で通話相手と会話をしている間に、ヘッドセットマイクを備えないヘッドセットを装着すると、その直後に、通話相手に聞こえるユーザの音声が突然小さくなり過ぎ、会話が突然成立しなくなることを防ぐことが出来る。
【産業上の利用可能性】
【０１１３】
本発明にかかる電子回路、電子機器及びゲイン制御方法は、特にヘッドセットのヘッドセットマイクの有無を自動的に検出してゲインを調整するのに好適である。
【図１】
2009016730.tif 000003
【図２】
2009016730.tif 000004
【図３】
2009016730.tif 000005
【図４】
2009016730.tif 000006
【図５】
2009016730.tif 000007
【図６】
2009016730.tif 000008
【図７】
2009016730.tif 000009
【図８】
2009016730.tif 000010
【図９】
2009016730.tif 000011
【図１０】
2009016730.tif 000012
【図１１】
2009016730.tif 000013
【図１２】
2009016730.tif 000014
【国際調査報告】
2009016730.tif 000015
2009016730.tif 000016
2009016730.tif 000017
2009016730.tif 000018